(57)【特許請求の範囲】
【請求項１】
操作釦を押し下げて噴出管を押し込み、容器本体内の内容物を前記噴出管を通して、前記操作釦に設けるノズル部から噴出する噴出容器において、
前記容器本体に取り付ける取付部材と、その取付部材で案内して上下動可能に設け、不使用時は上動して前記取付部材で支えてロック位置とし、前記操作釦の押し下げを阻止する一方、使用時は下動してロック解除位置とし、前記操作釦の押し下げを可能とするロック部材とを備え、
前記操作釦を前記噴出管に取り付けるとともに、前記取付部材と係合してその噴出管からの外れを防止してなる、噴出容器。
【請求項２】
操作釦を押し下げて噴出管を押し込み、容器本体内の内容物を前記噴出管を通して、前記操作釦に設けるノズル部から噴出する噴出容器において、
前記容器本体に取り付ける取付部材と、その取付部材で案内して上下動可能に設け、不使用時は上動して前記取付部材で支えてロック位置とし、前記操作釦の押し下げを阻止する一方、使用時は下動してロック解除位置とし、前記操作釦の押し下げを可能とするロック部材とを備え、
前記操作釦を前記噴出管に取り付けるとともに前記ロック部材に係合する一方、そのロック部材を前記取付部材に係合することで、前記ロック部材を介して前記噴出管からの外れを防止してなる、噴出容器。
【請求項３】
前記容器本体で前記取付部材を位置決めし、その取付部材で前記ロック部材を位置決めし、さらにそのロック部材で前記操作釦を位置決めし、前記容器本体に対して前記操作釦の前記ノズル部の向きを定めてなる、請求項１または２に記載の噴出容器。
【発明の詳細な説明】
【０００１】
【発明の属する技術分野】
この発明は、操作釦に手を掛けて押し下げ、噴出管を押し込むことにより、容器本体内の内容物を吐出して噴出管を通して、操作釦に設けるノズル部から液状・霧状・泡状・粉末状等で噴出する噴出容器に関する。化粧用・芳香用・洗浄用・清掃用・殺虫用・除菌用・塗装用などの各種の噴出容器に関する。
【０００２】
【従来の技術】
従来、この種の噴出容器にあっては、たとえば納入時や輸送時や携行時などに、意に反して操作釦を押し下げ、容器本体内の内容物を誤ってノズル部から噴出することがあった。このような誤りをなくすため、従来の噴出容器の中には、不使用時は、操作釦を押し下げた状態で容器本体側にねじ付けて、操作釦の往復動作を規制するものがある。
【０００３】
しかし、このような噴出容器においては、内容物を誤って噴出することを阻止すべく、操作釦を押し下げると、内容物がノズル部から噴出するから、そのたびごとに容器本体内の内容物を無駄に消費することとなる問題があった。また、ポンプ式の噴出容器の場合には適用できるが、エアゾール式の噴出容器には適用できない問題があった。
【０００４】
このため、従来の噴出容器の中には、たとえば図１１に示すように、容器本体１の口部１ａにポンプ装置ｐを取り付け、そのポンプ装置ｐのネジキャップ２に上向きの規制突起３を一体に形成し、不使用時は図示するとおりその規制突起３で操作釦４の押し下げを規制し、使用時は該操作釦４を矢示方向に水平回動することにより規制突起３とずらせて操作釦４の押し下げを可能とするものがある（特開平８−９８７８４号公報参照）。
【０００５】
【発明が解決しようとする課題】
ところが、このような従来の噴出容器には、規制突起３が常に上向きに突出したままの状態であるから、使用時には操作釦４の押し下げ操作の邪魔になる、などの問題があった。
【０００６】
そこで、この発明の課題は、携行時等に誤って内容物を噴出するおそれをなくすべく操作釦の押し下げをロックすることができる噴出容器において、内容物の無駄な消費をなくすとともに、使用時における操作釦の操作性を向上することにある。
【０００７】
【課題を解決するための手段】
そのため、この発明は、上述した課題を達成すべく、操作釦を押し下げて噴出管を押し込み、容器本体内の内容物を噴出管を通して、操作釦に設けるノズル部から噴出する噴出容器において、
容器本体に取り付ける取付部材と、その取付部材で案内して上下動可能に設け、不使用時には上動して取付部材で支えてロック位置とし、操作釦の押し下げを阻止する一方、使用時には下動してロック解除位置とし、操作釦の押し下げを可能とするロック部材とを備え、
操作釦を噴出管に取り付けるとともに、取付部材と係合してその噴出管からの外れを防止してなる、ことを特徴とする。
【０００８】
請求項２に係る発明は、上述した課題を達成すべく、操作釦を押し下げて噴出管を押し込み、容器本体内の内容物を噴出管を通して、操作釦に設けるノズル部から噴出する噴出容器において、
容器本体に取り付ける取付部材と、その取付部材で案内して上下動可能に設け、不使用時には上動して取付部材で支えてロック位置とし、操作釦の押し下げを阻止する一方、使用時には下動してロック解除位置とし、操作釦の押し下げを可能とするロック部材とを備え、
操作釦を噴出管に取り付けるとともにロック部材に係合する一方、そのロック部材を取付部材に係合することで、そのロック部材を介してして噴出管からの外れを防止してなる、ことを特徴とする。
【０００９】
請求項３に係る発明は、上述した課題を達成すべく、請求項１または２に記載の噴出容器において、容器本体で取付部材を位置決めし、その取付部材でロック部材を位置決めし、さらにそのロック部材で操作釦を位置決めし、容器本体に対して操作釦のノズル部の向きを定めてなる、ことを特徴とする。
【００１０】
【発明の実施の形態】
以下、図面を参照しつつ、この発明の実施の形態につき説明する。
図１には、この発明による噴出容器における不使用時の中央部分縦断面を示す。図２には、その側面側から見た外観を示す。
【００１１】
図中符号１０は、ボトル状の樹脂製容器本体である。容器本体１０は、内部に内容物として、たとえば化粧用液体を収納してなる。そして、その口部１０ａに、ポンプ装置Ｐを取り付ける。
【００１２】
ポンプ装置Ｐは、容器本体１０の口部１０ａに、取付部材であるネジキャップ１２をねじ付けることにより取り付ける。ネジキャップ１２は、図３（Ａ）および（Ｂ）にも示すように、キャップ部１４と、その頂部から上向きに高く突出する内筒部１５と、低く突出する外筒部１６とを備える。
【００１３】
キャップ部１４には、環状凹部１４ａを上向きに開口して設ける。そして、その環状凹部１４ａの入口外側縁を若干内向きに倒して係合部１４ｂを形成する。
【００１４】
内筒部１５には、頂部１５ａ中心に、中心孔１５ｂをあけるとともに、頂部１５ａの外周に、外上向きにのびる突き出し部１５ｃを形成する。
【００１５】
また、外筒部１６には、周方向に間隔をあけて矩形状の切欠き１６ａを４つ設け、４つの円弧部１６ｂを残すとともに、それらの１対の対向する円弧部１６ｂの周面に各々突部１６ｃを形成してなる。そして、この外筒部１６は、内筒部１５との間に環状凹部１２ａを上向きに開口して設ける。
【００１６】
そして、容器本体１０およびネジキャップ１２のねじを的確に設けることにより、容器本体１０に対してネジキャップ１２の突部１６ｃの位置がほぼ一定の向きとなるようにする。
【００１７】
そのようなネジキャップ１２には、外筒部１６の外側にロック部材１８を取り付ける。ロック部材１８は、図４（Ａ）および（Ｂ）ならびに図５に示すように、上縁外径が下縁外径よりほんの少し小さな筒形状とし、下縁の外周に上向きの係止段部１８ａを形成する。
【００１８】
そのロック部材１８の内面には、１８０度で１サイクルの連続波形の溝部１９Ａと、それと同一波形の溝部１９Ｂとを位相差なく下上２段に設ける。そして、それらの溝部１９Ａ・１９Ｂの山位置には共通の垂直溝部２０を設け、谷位置には個別の嵌合部２０Ａ・２０Ｂを水平に設ける。垂直溝部２０は、ネジキャップ１２の軸方向に上縁までのびている。
【００１９】
垂直溝部２０には、下方に、突部１６ｃと係合してロック部材１８の操作にクリック感を付与する２つの小突起ａを間隔をあけて設ける。また、一方の嵌合部２０Ａには、上方に、同じく突部１６ｃと係合してロック部材１８の操作にクリック感を付与する２つの小突起ｂを間隔をあけて設けてなる。
【００２０】
そして、２つの嵌合部２０Ａに各々下から突部１６ｃを入れてロック部材１８をネジキャップ１２に被せ、下部を環状凹部１４ａ内に挿入してロック部材１８を取り付ける。
【００２１】
一方、図１に示すように、ネジキャップ１２の内筒部１５内には、頂部１５ａに突き当ててパッキン２１を入れる。そして、そのパッキン２１を圧縮してシリンダ２２を収納する。シリンダ２２には、下端部外周に吸上げ管２３の上端部を取り付ける。吸上げ管２３は、下端部を容器本体内１０内の底部までのばしてなる。
【００２２】
シリンダ２２内には、上向き段部上にコイルスプリング２４を載せ、そのコイルスプリング２４を介してピストン２５を収納し、シリンダ室Ｓを区画する。ピストン２５には、シリンダ室Ｓ内と外部とを連通する連通路２５ａを設け、その連通路２５ａを塞ぐように弾性弁２６を取り付けてなる。
【００２３】
ピストン２５の上部は、噴出管２８内に挿入して円錐部２５ｂを下向き段部２８ａに押し当てる。噴出管２８は、ネジキャップ１２の中心孔１５ｂを貫通して上向きに突出する一方、下部をシリンダ２２内に収納してなる。そして、噴出管２８の下部外周２８ｂをシリンダ２２の上部内周に押し当ててそのシリンダ２２との間を液密に保持するとともに、内筒部１５の頂部１５ａとの間でパッキン２１を圧縮してなる。
【００２４】
噴出管２８の上部には、噴出管２８内の噴出路２８ｃと内部流路３０ａとを連通して操作釦３０を取り付ける。操作釦３０には、内部流路３０ａと連通してノズル部３１を設け、そのノズル部３１に、噴出口３２ａを有するノズル部材３２を取り付ける。
【００２５】
図６には、そのノズル部材３２を取り付ける前の操作釦３０の中央縦断面を示す。この図６から判るとおり、操作釦３０は、上部外周に下向き段部３０ｂを有し、頂面に指掛部３０ｃを設ける。また、下部外周の径方向反対位置に係合突部３０ｄを形成し、下向きにスカート部３０ｅをのばす。スカート部３０ｅの基部内周には、環状突部３０ｆを設ける。
【００２６】
そして、ロック部材１８を下動してその下部を環状凹部１４ａ内に収納する。すると、容器本体１０に対してほぼ一定の向きとしたネジキャップ１２の突部１６ｃを垂直溝部２０に係合することにより、ロック部材１８の位置も容器本体１０に対してほぼ一定の向きとする。
【００２７】
この状態で、操作釦３０を上から取り付け、２つの係合突部３０ｄを各々垂直溝部２０に入れ、内部流路３０ａに先端を圧入して図７および図８に示すように噴出管２８にともに押し込み可能に取り付ける。このとき、環状突部３０ｆは、突き出し部１５ｃを乗り越えてその突き出し部１５ｃに下方から接触する。
【００２８】
すると、容器本体１０に対してほぼ一定の向きにあるロック部材１８の垂直溝部２０に２つの係合突部３０ｄを入れるから、操作釦３０もまた容器本体１０に対してほぼ一定の向きとし、例えば外周面に印刷することにより定めた容器本体１０の正面と操作釦３０のノズル部３１の向きを一致させることができる。これにより、体裁を整えて噴出容器の商品としての価値を高めることができる。
【００２９】
ところで、図７および図８に示す状態から、ロック部材１８を任意の方向に回動すると、突部１６ｃがクリック感を持って小突起ａを乗り越え、溝部１９Ａ内を移動する。そして、ロック部材１８を上動し、やがて突部１６ｃを嵌合部２０Ａに、係合突部３０ｄを嵌合部２０Ｂに入れ、突部１６ｃを一方の小突起ｂを乗り越えて２つの小突起ｂ間に位置し、突部１６ｃの上端面ｍに嵌合部２０Ａの下向き段部ｎを突き当てる。
【００３０】
これにより、図１および図２に示すように、ロック部材１８の下動を阻止し、ロック部材１８をロック位置で位置決め保持し、操作釦３０の頂面３０ｃに指を掛けて操作釦３０を押し下げようとしても、下向き段部３０ｂをロック部材１８の上端面に当ててその操作釦３０の押し下げを阻止する。
【００３１】
また、このときは、環状突部３０ｆを突き出し部１５ｃに当てて操作釦３０を抜け止めする。かつ、係合突部３０ｄを嵌合部２０Ｂに入れるとともに、係止段部１８ａを係合部１４ｂに係合することで、ロック部材１８を介して操作釦３０を抜け止めする。
【００３２】
そして、不使用時には、このように筒形状のロック部材１８を上動してロック位置とし、噴出管２８のまわりを被うから、見栄えをよくすることができるとともに、ロック部材１８内に操作釦３０のノズル部３１を収納するから、別途キャップカバーを被せる必要なく、ノズル部３１等にほこりがつくことを防止することができる。
【００３３】
さて、いま、この噴出容器を使用するときは、図１および図２に示す状態から、ロック部材１８を持って任意の方向に回動する。そして、小突起ｂを乗り越えて突部１６ｃを嵌合部２０Ａ内から出し、突部１６ｃの上端面ｍと嵌合部２０Ａ内の下向き段部ｎとの係合を外して溝部１９Ａ内に入れ、同時に係合突部３０ｄも嵌合部２０Ｂから出して溝部１９Ｂ内に入れる。
【００３４】
そして、溝部１９Ａ・１９Ｂ内を通して突部１６ｃおよび係合突部３０ｄをそれぞれ移動してロック部材１８を下動し、ロック部材１８の下部をネジキャップ１２の環状凹部１４ａ内に収納し、突部１６ｃおよび係合突部３０ｄを垂直溝部２０内に入れる。
【００３５】
その後、ロック部材１８をさらに回動して一方の小突起ａを乗り越えて突部１６ｃを２つの小突起ａ間に入れる。これにより、図７および図８に示すように、ロック部材１８を、操作釦３０の押し下げを可能とするロック解除位置とする。
【００３６】
その後、容器本体１０を持って操作釦３０の噴出口３２ａを目的部位に向け、頂面３０ｃに指を当てて操作釦３０を押し下げ、係合突部３０ｄが垂直溝部２０内を移動し、図９および図１０に示すように噴出管２８を押し込んでコイルスプリング２４に抗してピストン２５を押し下げ、シリンダ室Ｓ内の容積を狭めてそのシリンダ室Ｓ内の圧力を高める。
【００３７】
そして、シリンダ室Ｓ内の圧力の高まりとともに、やがて弾性弁２６を開き、吸上げ管２３を介してシリンダ室Ｓ内まで吸上げた容器本体１０内の内容物を、連通路２５ａを通して吐出し、噴出管２８に対してピストン２５が相対移動して下向き段部２８ａから円錐部２５ｂを離し、噴出路２８ｃを通して操作釦３０の内部流路３０ａに入れ、操作釦３０のノズル部３１に設ける噴出口３２ａから噴出する。
【００３８】
ピストン２５の内外圧力差が低下すると、コイルスプリング２４の付勢力でピストン２５が上動して円錐部２５ｂが下向き段部２８ａに押し当たり、噴出口３２ａからの内容物の噴出を停止する。その後、操作釦３０から指を離すと、コイルスプリング２４の付勢力で噴出管２８が自動復帰する。
【００３９】
使用後は、再びロック部材１８を持って任意の方向に回動する。そして、小突起ａを乗り越えて突部１６ｃを垂直溝部２０内から出し、溝部１９Ａ内に入れ、同時に係合突部３０ｄも嵌合部２０Ｂから出して溝部１９Ｂ内に入れる。
【００４０】
そして、溝部１９Ａ・１９Ｂ内を通して突部１６ｃおよび係合突部３０ｄをそれぞれ移動してロック部材１８を上動し、ロック部材１８の下部をネジキャップ１２の環状凹部１４ａ内から出し、突部１６ｃおよび係合突部３０ｄを嵌合部２０Ａ・２０Ｂ内に入れる。
【００４１】
その後、ロック部材１８をさらに回動して一方の小突起ｂを乗り越えて突部１６ｃを再び２つの小突起ｂ間に入れ、図１および図２に示すように突部１６ｃの上端面ｍに下嵌合凹部１９ｃの下向き段部ｎを突き当てて該ロック部材１８の下動を阻止し、ロック部材１８をロック位置で位置決め保持してなる。
【００４２】
このように、図示例では、使用時は、ロック部材１８を下動してロック解除位置とし、操作釦３０の押し下げを可能とするから、使用時にはロック部材１８が邪魔にならず、操作釦３０の操作性を向上することができる。
【００４３】
また、垂直溝部２０および嵌合部２０Ａには、それぞれ突部１６ｃと係合してロック部材１８の操作にクリック感を付与する小突起ａ・ｂを設けるから、ロック部材１８をロック位置またはロック解除位置に位置決める位置決め操作性を向上するとともに、クリック感により操作を確認して位置決め操作の確実性を高めることができる。
【００４４】
なお、ネジキャップ１２やロック部材１８は、ポリアセタールやポリオレフィン系樹脂などでつくるが、それら両部材を同材質でつくると、クリック感をよくし、一層位置決め操作性を向上するとともに、位置決め操作の確実性を高めることができる。
【００４５】
【発明の効果】
したがって、この発明によれば、不使用時は、ロック部材を上動してロック位置とし、操作釦の押し下げを阻止するから、操作釦のロック操作時に容器本体の内容物を無駄に消費することがない。また、使用時は、ロック部材を下動して操作釦の押し下げを可能とするから、ロック部材が邪魔にならず、使用時における操作釦の操作性を向上することができる。ポンプ式の噴出容器に限らず、エアゾール式の噴出容器にも適用することができる。
【００４６】
また、この発明によれば、操作釦を直接またはロック部材を介して取付部材と係合して噴出管から抜け止めするから、不用意に操作釦が外れるトラブルの発生を防止することができる。
【００４７】
請求項３に記載の発明によれば、加えて、容器本体に対して操作釦のノズル部の向きを定めるから、体裁を整えて噴出容器の商品としての価値を高めることができる。
【図面の簡単な説明】
【図１】この発明による噴出容器における不使用時の中央部分縦断面図である。
【図２】その噴出容器の側面図である。
【図３】それで使用するネジキャップで、（Ａ）は平面図、（Ｂ）は正面図である。
【図４】同じく上記噴出容器で使用するロック部材の中央縦断面図である。
【図５】その平面図である。
【図６】ノズル部材を取り除いた状態における上記噴出容器で使用する操作釦の中央縦断面図である。
【図７】上記噴出容器におけるロック解除状態の中央部分縦断面図である。
【図８】その噴出容器の側面図である。
【図９】上記噴出容器における噴出状態の中央部分縦断面図である。
【図１０】その噴出容器の側面図である。
【図１１】従来の噴出容器の外観斜視図である。
【符号の説明】
１０    容器本体
１２    ネジキャップ（取付部材）
１２ａ  環状凹部
１４    キャップ部
１４ａ  環状凹部
１４ｂ  係合部
１５    内筒部
１５ｃ  突き出し部
１６    外筒部
１６ｂ  円弧部
１６ｃ  突部
１８    ロック部材
１８ａ  係止段部
１９Ａ  溝部（ガイド部）
１９Ｂ  溝部
２０    垂直溝部
２０Ａ  嵌合部
２０Ｂ  嵌合部
２８    噴出管
３０    操作釦
３０ｂ  下向き段部
３０ｄ  係合突部
３０ｅ  スカート部
３０ｆ  環状突部
３１    ノズル部
３２ａ  噴出口
ａ    小突起
ｂ    小突起
ｍ    突部の上端面
ｎ    嵌合部の下向き段部
【図１】
0004059643.tif 000002
【図２】
0004059643.tif 000003
【図３】
0004059643.tif 000004
【図４】
0004059643.tif 000005
【図５】
0004059643.tif 000006
【図６】
0004059643.tif 000007
【図７】
0004059643.tif 000008
【図８】
0004059643.tif 000009
【図９】
0004059643.tif 000010
【図１０】
0004059643.tif 000011
【図１１】
0004059643.tif 000012